(57)【要約】【課題】磁力を用いて移動体を移動させることができる興趣性の高い玩具を提供すること。【解決手段】玩具１０は、可動方向における走行路１３の両側に、強磁性体からなる一対の長尺状の可動棒１７が設けられている。一対の可動棒１７の各々は、移動方向の略中央部に回転軸１９が設けられ、当該回転軸１９を中心に回動可能に構成されている。一方で、走行路１３上を走行する車両１５には、永久磁石３５が内蔵されている。永久磁石３５から発生する磁束Ｂによって可動棒１７の車両１５と対向する内周面に生じる磁束密度は、可動棒１７の移動方向に対する傾きによって変化する。車両１５は、可動棒１７の傾きの変更にともなう磁束密度の変動によって、可動棒１７との間に異なる態様の磁力が生じるため、発生した磁力の向きや大きさに応じて走行路１３上を移動する。【選択図】図１
2015134075.tif 000002
【特許請求の範囲】
【請求項１】
永久磁石が設けられる移動体と、
前記移動体が移動する走行路と、
前記走行路に沿った長尺状の磁性体からなり、前記走行路に対する傾きが変更可能な可動部と、
を備えることを特徴とする玩具。
【請求項２】
前記可動部は、前記走行路を間に挟んで対称となる位置に設けられた一対の可動部を備えることを特徴とする請求項１に記載の玩具。
【請求項３】
前記可動部を回動可能に保持する回転軸と、
前記回転軸を中心に前記可動部を回動させ、前記走行路に対する前記可動部の傾きを所定位置で保持する傾き変更部と、
を備えることを特徴とする請求項１又は請求項２に記載の玩具。
【請求項４】
前記走行路の両端を互いに接続する第２走行路をさらに備えることを特徴とする請求項１乃至請求項３のいずれかに記載の玩具。
【発明の詳細な説明】
【技術分野】
【０００１】
本願に開示の技術は、磁力を用いて移動体を移動させる玩具に関するものである。
【背景技術】
【０００２】
従来、永久磁石を載置した車両が、当該永久磁石と走行路に設けられた電磁石（コイル）との吸引力、及び反発力によって、走行路上を移動する玩具がある（例えば、特許文献１など）。この玩具では、板状の走行路の底面に一定の間隔毎に電磁石が設けられ、電磁石と電源との間にはリードスイッチが接続されている。このリードスイッチは、車両の移動に合わせてＯＮ／ＯＦＦされ、電磁石に対する通電を切り替える。
【先行技術文献】
【特許文献】
【０００３】
【特許文献１】特開２００６−１０２４０５号公報
【発明の概要】
【発明が解決しようとする課題】
【０００４】
しかしながら、上記した玩具では、走行路に設けた電磁石と車両に設けた永久磁石との間の磁力によって車両が走行するが、スタートの位置や電磁石に対して供給する電圧の大きさが同じであれば、何回走行させても、あるいは誰が走行させても同様の態様で車両が走行する。このため、走行路のスタートからゴールまでの走行時間を複数の遊戯者が競う場合など、玩具として興趣性に欠け、車両等の移動体の動き方なども単調に過ぎるなどの問題がある。また、車両等の移動体の移動に際しては給電が必要であり、電気的な設備のあるところでの使用に限定されてしまう。
【０００５】
本願に開示される技術は、磁力を用いて移動体を移動させることができる興趣性の高い玩具を提供することを目的とする。
【課題を解決するための手段】
【０００６】
本願に開示される技術に係る玩具は、永久磁石が設けられる移動体と、移動体が移動する走行路と、走行路に沿った長尺状の磁性体からなり、走行路に対する傾きが変更可能な可動部と、を備えることを特徴とする。
【０００７】
また、本願に開示される技術に係る玩具は、可動部は、走行路を間に挟んで対称となる位置に設けられた一対の可動部を備える構成としてもよい。
【０００８】
また、本願に開示される技術に係る玩具は、可動部を回動可能に保持する回転軸と、回転軸を中心に可動部を回動させ、走行路に対する可動部の傾きを所定位置で保持する傾き変更部と、を備える構成としてもよい。
【０００９】
また、本願に開示される技術に係る玩具は、走行路の両端を互いに接続する第２走行路をさらに備える構成としてもよい。
【発明の効果】
【００１０】
本願の玩具の第１の側面では、移動体に設けられた永久磁石から生じる磁束は、磁性体からなる長尺状の可動部に到達する。可動部の永久磁石と対向する部分における磁束密度は、可動部の走行路に対する傾きによって変化する。即ち、可動部が走行路に近づくのに応じて磁束密度は大きくなり、走行路から遠ざかるのに応じて磁束密度は小さくなる。その結果、移動体は、磁束密度が走行路に沿って大きくなる方向に磁力により吸引されて移動することができる。ここで、磁力による吸引力は、可動部の傾きが大きく磁束密度の走行路に沿った変化が大きなほど大きくなり移動体の移動速度が速くなる。逆に、移動体は、傾きが小さくなるほど移動速度が遅くなる。さらに、可動部の走行路に対する傾きがなくなれば磁束密度の走行路に沿った違いはなくなるので、移動体は停止することができる。移動体は、可動部の傾きの大きさや向きの変更にともなう磁束密度の走行路に沿った大きさや向きの変化によって、走行路上を移動する移動速度や移動方向、そして移動・停止の別が制御されることとなる。従って、遊戯者は、可動部に対する操作を行って可動部の走行路に対する傾きの大きさや向きを変更することによって、移動体が走行路上を移動する移動速度や移動方向を自由に変更することができる。この場合、移動体の移動速度や移動方向の制御に電磁石等への給電などの電気的な制御を必要としない。このため、当該玩具によれば、例えば、給電などの手間を労することなく、走行路のスタートからゴールまでの移動体の走行時間が遊戯者の操作の精度に応じて短縮あるいは延長されるため、複数の遊戯者が走行時間を競う場合など興趣性の高い遊戯が提供できる。また、移動体の移動速度や移動方向を自在に調整することができ、興趣性の高い遊戯が提供できる。
【００１１】
また、本願の玩具の第２の側面では、一対の可動部が、走行路を間に挟む対称となる位置に設けられる。走行路上の移動体は、一対の可動部の間を移動することとなる。このような構成では、移動体にかかる磁力が走行路に対して対称となるため、その合力が走行路の方向に加わることとなり、効率よく移動体を付勢することができる。
【００１２】
また、本願の玩具の第３の側面では、可動部が回転軸によって回動可能に保持される。遊戯者は、傾き変更部に対する操作を行うことによって、回転軸を中心に可動部を回動させることができる。さらに、走行路に対する可動部の傾きを所定位置で保持することができる。可動部の傾きを直接触れて変更する場合に比べて精度良く可動部の傾きが変更して維持することが可能となる。
【００１３】
また、本願の玩具の第４の側面では、走行路の両端を接続する第２走行路を備えており、例えば、走行路及び第２走行路を複数回周回する間の走行時間を競うなど、興趣性の高い遊戯が提供できる。
【図面の簡単な説明】
【００１４】
【図１】第１実施形態の玩具の平面図である。
【図２】第１実施形態の移動体である車両の側面図である。
【図３】第２実施形態の玩具の斜視図である。
【図４】図３に示す走行路の傾斜部分を示す側面図である。
【図５】第３実施形態の玩具の上面図である。
【図６】第３実施形態の玩具の動作状態を説明するための模式図である。
【発明を実施するための形態】
【００１５】
＜第１実施形態＞
以下、本発明を具体化した第１実施形態に係る玩具について図１及び図２を参照しつつ説明する。図１に示す玩具１０は、板状に形成され水平に載置された底板１２の上に走行路１３が配設され、当該走行路１３上を車両１５が遊戯者の操作に応じて走行するものである。底板１２は、平面視における形状が、図１の上下方向が長手方向となる長方形状に形成されている。走行路１３は、底板１２の短手方向の中央部に設けられ、長手方向に沿って底板１２の両端を結ぶ長方形の板状に形成されている。車両１５は、底板１２及び走行路１３の長手方向に向かって、走行路１３のスタートとゴールとの間をいずれかの方向に走行する。即ち、スタートからゴールまで順走し、あるいはゴールからスタートまで逆走する。なお、第１実施形態における説明では、図１に示すように、底板１２の長手方向、即ち車両１５が移動する方向を移動方向と、底板１２の短手方向（後述するスライド部２４が可動する方向）を可動方向と称して説明する。
【００１６】
玩具１０は、可動方向における走行路１３の両側に、一対の可動棒１７がそれぞれ設けられている。可動棒１７は、例えば、強磁性体（スチール（鋼）、鉄、ニッケルなど）からなり、移動方向に向かって延びる長尺の直方体状に形成されている。一対の可動棒１７の各々は、可動方向において、走行路１３を間に挟んで対称となる位置に設けられている。可動棒１７の各々は、可動方向において走行路１３との間に所定の間隔を設けて当該走行路１３と対向配置されている。また、一対の可動棒１７の各々は、移動方向の略中央部に回転軸１９が設けられている。回転軸１９の各々は、底板１２の平面に直交する方向に沿って立設され、基端部が底板１２に対して回転可能に保持されている。一対の可動棒１７の各々は、底板１２の平面に直交する回転軸１９を中心に、当該回転軸１９と一体回転可能に設けられている。
【００１７】
一対の可動棒１７の各々は、スタート側の基端部１７Ａに傾き変更部２１が接続されている。傾き変更部２１は、連結部２３と、スライド部２４と、レール板２５と、歯車２６とを有する。連結部２３は、一対の可動棒１７の各々に対応して設けられている。連結部２３の各々は、底板１２の平面に直交し、可動棒１７の各々の基端部１７Ａに挿通される固定軸２３Ａが設けられている。連結部２３の各々は、移動方向において、可動棒１７の基端部１７Ａと接続される部分とは反対側の端部にスライド部２４が設けられている。
【００１８】
一対のスライド部２４の各々は、移動方向において互いの主面が対向する平板状に形成され、互いに対向する主面には可動方向に沿って歯部２４Ａが設けられている。また、スライド部２４の各々は、レール板２５の上面に配設されたレール２５Ａの形状に合わせた凹部（図示略）が設けられ、レール２５Ａに沿って可動方向に向かってスライド可能に構成されている。
【００１９】
一対のスライド部２４の互いに対向する主面に設けられている歯部２４Ａの間には、一対の歯車２６が設けられている。歯車２６の各々は、スライド部２４の各々の歯部２４Ａと歯合する状態で、レール板２５に対して回転可能に保持された回転軸２６Ａにより回転可能に固定されている。回転軸２６Ａの先端（図１における紙面直交方向の手前側の端部）には、一対の歯車２６の各々を回転させるための操作部２６Ｂが設けられている。操作部２６Ｂは手動により回転可能であると共に、回転した位置に保持される。
【００２０】
連結部２３の各々は、スライド部２４が可動方向に沿ってスライドするのにともなって、可動棒１７の基端部１７Ａが移動方向における位置を固定した状態で可動方向の位置が変更されるように、一対の可動棒１７の基端部１７Ａの各々を保持する。従って、玩具１０の遊戯者は、歯車２６の操作部２６Ｂを操作することによって、可動棒１７の傾きを変更することができ、変更後は可動棒１７の傾きが保持される。例えば、遊戯者が操作部２６Ｂを操作し２つの歯車２６のいずれかを図１における時計回り方向に回転させると、一対の可動棒１７は、可動方向において互いの基端部１７Ａが離間する方向に変動する。逆に、遊戯者が歯車２６のいずれかを反時計回り方向に回転させると、一対の可動棒１７は、可動方向において互いの基端部１７Ａが近接する方向に変動する。
【００２１】
次に、車両１５について説明する。図２は、車両１５の側面図である。図２に示すように、車両１５は、車両本体部３２に４つの車輪３３（図２においては２つのみを図示）が取り付けられており、外力が作用することで図２における左右方向に走行する。車両１５は、車両本体部３２の中央部の底部に永久磁石３５が固定されている。
【００２２】
上記した玩具１０では、一対の可動棒１７の傾きを図１の位置に変更することによって、車両１５を走行路１３のスタートからゴールまで走行させることが可能となる。例えば、図１に示す状態では、一対の可動棒１７は、可動方向における互いの距離が、走行路１３のスタート側の基端部１７Ａからゴール側の先端部１７Ｂに向かうに従って、徐々に狭くなっている。この状態において、スタートの位置に車両１５を配置すると、図１に示すように、車両１５の永久磁石３５は、可動方向で互いに対向する可動棒１７の各々の内周面に向かう磁束Ｂが発生する。なお、図１は、図面が煩雑となるため、永久磁石３５から図１の右側に配置された可動棒１７に向かう磁束のみを図示している。
【００２３】
永久磁石３５から発生する磁束Ｂによって可動棒１７の各々の内周面に生じる磁束密度は、可動棒１７が傾いているため不均一となる。可動棒１７の内周面の磁束密度は、車両１５と可動棒１７との可動方向における距離がより短い位置、即ち、スタートに比べてよりゴールに近い位置の磁束密度が高くなる。従って、車両１５は、可動棒１７との間で磁束密度がより高いゴール側に向かう吸引力が作用することによって、スタートからゴールに向かって走行を開始する。この車両１５に作用する吸引力は、遊戯者の操作部２６Ｂに対する操作量に応じて変化する。その結果、ゴール側に向かう車両１５の走行速度を調整することができる。
【００２４】
同様に、遊戯者は、可動棒１７の傾きを図１に図示した傾きとは逆にすることで、車両１５をゴールからスタートまで逆走させることが可能となる。具体的には、遊戯者は、操作部２６Ｂを操作して、一対の可動棒１７を、可動方向における互いの距離が、走行路１３のスタート側の基端部１７Ａからゴール側の先端部１７Ｂに向かうに従って、徐々に広くなるように調整する。この状態では、永久磁石３５から発生する磁束Ｂによって可動棒１７の内周面に生じる磁束密度は、ゴールに比べてよりスタートに近い位置の磁束密度が高くなる。従って、例えば、ゴールまで到達した車両１５は、可動棒１７との間で磁束密度がより高いスタート側に向かう吸引力が作用することによって、ゴールからスタートに向かって逆走する。
【００２５】
また、一対の可動棒１７を互いに平行となる位置（基端部１７Ａから先端部１７Ｂまでの可動方向における互いの距離が同一となる位置）とすると、可動棒１７の内周面に生じる磁束密度は、略均一となる。このため、可動棒１７と永久磁石３５との間の吸引力は、移動方向に沿った車両１５の前後で釣り合うこととなる。その結果、例えば、スタートからゴールまで走行中の車両１５は、可動棒１７が互いに平行な位置にされると、走行路１３上の所定の位置で停止する。
【００２６】
以上、上記した第１実施形態によれば、以下の効果を奏する。
＜効果１＞玩具１０は、可動方向における走行路１３の両側に、強磁性体からなる一対の長尺状の可動棒１７が設けられている。一対の可動棒１７の各々は、移動方向の略中央部に回転軸１９が設けられ、当該回転軸１９を中心に回動可能に構成されている。可動棒１７の各々は、可動方向において走行路１３との間に所定の間隔を設けて対向配置されている。一方で、走行路１３上を走行する車両１５には、永久磁石３５が内蔵されている。永久磁石３５から発生する磁束Ｂによって可動棒１７の車両１５と対向する内周面に生じる磁束密度は、可動棒１７の移動方向に対する傾きによって変化する。車両１５は、可動棒１７の傾きの変更にともなう磁束密度の変化によって、可動棒１７との間に異なる磁力が生じるため、発生した磁力の向きや大きさに応じて走行路１３上を移動する。従って、玩具１０の遊戯者は、傾き変更部２１の操作部２６Ｂに対する操作を行って可動棒１７の走行路１３（移動方向）に対する傾きの大きさや向きを変更することによって、車両１５が走行路１３上を走行する態様を自由に変更することができる。具体的には、移動速度や移動方向を調整することができる。このため、本実施形態の当該玩具１０によれば、興趣性の高い遊戯が提供できる。
【００２７】
＜効果２＞一対の可動棒１７の各々は、走行路１３を間に挟む対称となる位置に設けられている。走行路１３上の車両１５は、一対の可動棒１７の移動方向における間を移動する。このような構成では、車両１５にかかる磁力が走行路１３に対して対称となるため、その合力が走行路１３の方向に加わることとなり、効率よく車両１５を付勢することができる。また、遊戯者が一対の可動棒１７の傾きを互いに平行にすることによって、可動棒１７と車両１５の永久磁石３５との間に生じる磁力が車両１５の前後で釣り合って走行する車両１５を停止させることができるため、興趣性の高い遊戯が提供できる。
【００２８】
＜効果３＞可動棒１７は、回転軸１９によって回動可能に保持されている。遊戯者は、傾き変更部２１の操作部２６Ｂに対する操作を行うことによって、回転軸１９を中心に可動棒１７を機械的に回動させ移動方向に対する可動棒１７の傾きを所定の位置に変更して保持することができ、可動棒１７の傾きを直接触れて変更する場合に比べて精度良く可動棒１７の傾きが変更可能となる。
【００２９】
＜第２実施形態＞
以下、本発明を具体化した第２実施形態を図３及び図４を参照しつつ説明する。
第２実施形態の玩具１０Ａは、第１点目として、走行路１３に勾配をもたせた点が、上記した第１実施形態と異なる。また、玩具１０Ａは、第２点目として、走行路１３の両端を互いに接続する走行路４１を備える点が、第１実施形態と異なる。以下の説明では、上記２点を中心に説明し、第１実施形態と同様の構成については同一の符号を付してその詳細な説明を適宜省略する。
【００３０】
図３に示すように、走行路１３は、第１端部１３Ａから第２端部１３Ｂに向かって所定の勾配をもって登坂傾斜した状態で基台４３の上に固定されている。玩具１０Ａは、図３の走行路１３，４１上に矢印で示す移動方向に向かって車両１５（図４参照）が走行する。詳述すると、玩具１０Ａは、移動方向に対して直交する方向における走行路１３の両側に、走行路１３と同様の勾配をもって傾斜した一対の可動棒１７が設けられている。可動棒１７の各々は、基台４３によって回転可能に保持された回転軸１９に対し、回転可能に固定されている。従って、遊戯者は、可動棒１７を操作して可動棒１７の走行路１３に対する傾きを自由に変更することができる。なお、玩具１０Ａは、第１実施形態における傾き変更部２１を備える構成でもよい。
【００３１】
図４に示すように、車両１５は、車両本体部３２の前後方向における後方の底部に永久磁石３５が内蔵されている。例えば、遊戯者は、一対の可動棒１７の傾きを、走行路１３のスタート側の基端部１７Ａから先端部１７Ｂに向かうに従って、可動棒１７間の距離が徐々に狭くなるように調整する。この状態において、スタートの位置に車両１５を配置すると、車両１５の永久磁石３５は、一対の可動棒１７の内周面に向かって磁束Ｂが生じる。可動棒１７の内周面の磁束密度は、車両１５と可動棒１７との距離がより短い位置、即ち、基端部１７Ａ（第１端部１３Ａ）に比べてより先端部１７Ｂ（第２端部１３Ｂ）に近い位置の磁束密度が高くなる。従って、車両１５は、可動棒１７との間で磁束密度がより高い第２端部１３Ｂ側に向かう吸引力が作用することによって、傾斜した走行路１３を上りながら走行する。
【００３２】
また、図３に示すように、走行路４１は、上方から見た形状が、走行路１３の第１及び第２端部１３Ａ，１３Ｂを接続する逆Ｃ状に形成されている。従って、玩具１０Ａは、走行路１３の第１及び第２端部１３Ａ，１３Ｂが走行路４１によって接続され、環状の走行路が構成されている。走行路４１は、走行路１３の坂道を上り切った第２端部１３Ｂから所定の勾配をもって傾斜しつつ曲がりながら第１端部１３Ａまで下っている。車両１５は、走行路１３を上り切った第２端部１３Ｂに到達すると、停止あるいは車両１５の質量に応じて作用する重力によって走行路４１を下り始める。この動作は、車両１５が走行路１３を走行する速度や車両の傾きなどに応じて動作が異なるため、遊戯者に対する興趣性が向上する。
【００３３】
例えば、遊戯者は、図４に示すように、車両１５が車両後方に設けられた永久磁石３５が可動棒１７と対向する位置で停止した場合には、一対の可動棒１７を先端部１７Ｂ間の距離が広がるように操作することで、永久磁石３５の可動棒１７に対する吸引力を小さくできる。車両１５は、可動棒１７との間の吸引力が弱まることで、車両１５に作用する重力に応じて走行路４１を下って走行する。従って、第１端部１３Ａに設けられたスタートの位置から走行路１３の傾斜を第２端部１３Ｂまで上り切った車両１５は、再度、第１端部１３Ａのゴールの位置（図３参照）まで移動する。このような構成においても、上記した第１実施形態の玩具１０と同様の効果を得ることができる。また、当該玩具１０Ａによれば、例えば、走行路１３，４１を複数回周回する間の走行時間を競うなど、興趣性の高い遊戯が提供できる。
【００３４】
＜第３実施形態＞
以下、本発明を具体化した第３実施形態を図５及び図６を参照しつつ説明する。
第３実施形態の玩具１０Ｂは、第１点目として、走行路１３に勾配をもたせ、さらに支持部５１によって底板１２を上下方向に回動可能に保持し走行路１３の勾配を２つの状態に切り替える点が、上記した第１実施形態と異なる。また、玩具１０Ｂは、第２点目として、走行路１３の両端を互いに接続する走行路５３，５４を、勾配が切り替えられる走行路１３の２つの状態の各々に応じて備える点が、第１実施形態と異なる。以下の説明では、上記２点を中心に説明し、第１実施形態と同様の構成については同一の符号を付してその詳細な説明を適宜省略する。
【００３５】
図５及び図６に示すように、底板１２は、支持部５１に固定された回転軸５１Ａが、底板１２の長手方向の中央部において短手方向に沿って水平に挿通されている。底板１２及び走行路１３は、回転軸５１Ａを中心に上下方向に一体回転可能に回動し、第１端部１３Ａから第２端部１３Ｂに向かって上る、あるいは逆に第２端部１３Ｂから第１端部１３Ａに向かって上る勾配をもった傾斜に切り替え可能となっている。
【００３６】
走行路５３は、走行路１３が第１端部１３Ａから第２端部１３Ｂに上る傾斜に切り替えられた際に、走行路１３に接続される走行路である。走行路５３は、第１端部１３Ａに比べて高い位置となる第２端部１３Ｂから底板１２の中央部に設けられた支持部５１に向かって下りながら環状に湾曲し、支持部５１に設けられたトンネル５１Ｂを通って再び環状に湾曲して第１端部１３Ａまで形成され、上面から見た形状が略８の字形状となっている。
【００３７】
同様に、もう一方の走行路５４は、走行路１３が第２端部１３Ｂから第１端部１３Ａに上る傾斜に切り替えられた際に、走行路１３に接続される走行路である。走行路５４は、第２端部１３Ｂに比べて高い位置となる第１端部１３Ａから底板１２の中央部に設けられた支持部５１に向かって下りながら環状に湾曲し、支持部５１に設けられたトンネル５１Ｂを通って再び環状に湾曲して第２端部１３Ｂまで形成され、上面から見た形状が略８の字形状となっている。
【００３８】
また、走行路５３と走行路５４とは、支持部５１に向かう途中において合流し、一本の走行路として支持部５１のトンネル５１Ｂを通過している。走行路５３及び走行路５４は、トンネル５１Ｂを通過した後において分岐し、分岐する地点には車両１５の進行方向を変更する切替部５６が設けられている。切替部５６は、回転軸５６Ａを中心に走行路５３，５４の上面に対して平行に回動する。遊戯者は、切替部５６の向きを変更することで、車両１５の走行路を、走行路５３から走行路５４に、あるいは走行路５４から走行路５３に切り替えることができる。
【００３９】
例えば、遊戯者は、底板１２を上下方向に回動させ走行路１３と走行路５３とを接続し、走行路１３を第１端部１３Ａから第２端部１３Ｂに上る傾斜とする。また、遊戯者は、切替部５６を図５における反時計回り方向に走行路５４側に回動させる。この状態では、第２実施形態と同様に、例えば、複数の遊戯者は、可動棒１７を操作しながら、走行路１３，５３を複数回周回する間の走行時間を競うなどの遊戯を楽しむことができる。
【００４０】
さらに、玩具１０Ｂでは、例えば、遊戯者は、車両１５が走行路１３を上り切った後に走行路５３を下り始めるタイミングに合わせて、切替部５６を回動させ走行路を走行路５３から走行路５４に切り替えるとともに、底板１２を上下方向に回動させ走行路１３と走行路５４とを接続し、走行路１３を第２端部１３Ｂから第１端部１３Ａに上る傾斜とする。これにより、遊戯者は、車両１５を、走行路５３から走行路５４に切り替えて走行させることが可能となる。従って、玩具１０Ｂでは、可動棒１７を操作して車両１５を走行させながら、走行する走行路５３，５４が自由に切り替えられる趣向性の高い遊戯が提供できる。
【００４１】
ちなみに、本実施形態における車両１５は、移動体の一例である。可動棒１７は、可動部の一例である。回転軸１９は、可動部を回動可能に保持する回転軸の一例である。走行路４１、走行路５３、走行路５４は、第２走行路の一例である。
【００４２】
なお、本発明は上記実施形態に限定されるものではなく、本発明の趣旨を逸脱しない範囲内での種々の改良、変更が可能であることは言うまでもない。
例えば、可動棒１７に用いる材料は、強磁性体を含む合金でもよく、あるいは強磁性体に限らず他の磁性体（常磁性体、反磁性体など）で形成してもよい。
また、可動棒１７は、一対でなくともよく、一本、あるいは３以上の複数本でもよい。
【００４３】
また、本願における移動体は、車両１５のような自動車に限らず、例えば、永久磁石３５を載置して移動可能な他の乗り物や永久磁石３５が内蔵された球状の物体などでもよい。
また、上記各実施形態では、可動棒１７を回転軸１９によって回動可能に保持することで移動方向に対する可動棒１７の傾きを変更可能に構成したが、他の方法で可動棒１７を回動可能に保持する構成でもよい。
【符号の説明】
【００４４】
１０  玩具、１３  走行路、１５  車両（移動体）、１７  可動棒（可動部）、１９  回転軸、２１  傾き変更部、３５  永久磁石、Ｂ  磁束。
【図１】
2015134075.tif 000003
【図２】
2015134075.tif 000004
【図３】
2015134075.tif 000005
【図４】
2015134075.tif 000006
【図５】
2015134075.tif 000007
【図６】
2015134075.tif 000008